(57)【要約】【課題】既存の軒樋に取り付けが可能であって、飾り板の着脱及び軒樋のメンテナンスが容易であり、高い意匠性を有する飾り板取付構造を提供する。【解決手段】軒樋１の長手方向に飾り板３を取り付ける飾り板取付構造であって、飾り板取付構造は、軒樋に取り付け可能な固定部材２と、固定部材に固定可能な飾り板を備え、固定部材は、嵌合部２１と、天板部２２と、支持部２３と、狭持片２４とを有し、飾り板は、平面部３１と、飾り面部３２と、折返し部３３と、屈曲部３４とを有し、固定部の嵌合部が前耳部に嵌合され、飾り板の平面部が固定部材の天板部に支持され、折返し部が支持部の下端部に係合し、屈曲部が天板部の後端部と係合するとともに挟持片により挟持されて、飾り板が固定部材を介して軒樋に取り付けられている。【選択図】図１
2018178571.tif 000002
【特許請求の範囲】
【請求項１】
軒樋の長手方向に飾り板を取り付ける飾り板取付構造であって、前記飾り板取付構造は、前記軒樋に取り付け可能な固定部材と、前記固定部材に固定可能な飾り板を備え、
前記固定部材は、前記軒樋の前壁部上端に設けられた前耳部に嵌合可能な嵌合部と、
上端面に設けられた天板部と、
前記天板部の前端から下方に向けて延設された支持部と、
前記嵌合部の後端から上方に向けて突出し、上端部が前記天板部に対して所定の間隔を置いて配設された狭持片とを有し、
前記飾り板は、前記固定部材の前記天板部に支持される平面部と、
前記平面部の前端から垂下し、前記固定部材の前記支持部の下端に達する飾り面部と、
前記飾り面部の下端部で、前記支持部の下端部に係合可能に屈曲する折返し部と、
前記平面部の後端から下方に屈曲する屈曲部とを有し、
前記固定部の前記嵌合部が前記前耳部に嵌合され、
前記飾り板の前記平面部が前記固定部材の前記天板部に支持され、前記折返し部が前記支持部の下端部に係合し、前記屈曲部が前記天板部の後端部と係合するとともに前記挟持片により挟持されて、前記飾り板が前記固定部材を介して前記軒樋に取り付けられていることを特徴とする飾り板取付構造。
【請求項２】
前記嵌合部と前記天板部との間に空間が形成されており、
前記飾り板の前記平面部は、前記固定部材の前記天板部に固定具により固定され、
前記空間は、前記平面部と前記天板部の固定の際に前記固定具の脚が前記天板部に到達しない高さに形成されていることを特徴する請求項１に記載の飾り板取付構造。
【発明の詳細な説明】
【技術分野】
【０００１】
本発明は、飾り板取付構造に関する。
【背景技術】
【０００２】
従来より、軒先に取り付けられる軒樋に対して、外観の意匠性を高めるために取り付ける飾り板が知られている。このような軒樋に取り付ける飾り板としては、例えば、軒樋本体と、軒樋本体とが離間して上方位置に設置される飾り板と、軒樋と飾り板を支持する支持具とを備えた軒樋構造がある（例えば、特許文献１を参照）。
【０００３】
特許文献１の軒樋構造によれば、飾り板と軒樋本体とが独立して接合されているので、建物の外形がフラット屋根や傾斜屋根等異なっている場合にも、その異なった外形形状に合わせて飾り板を取り付けることができるとしている。
【先行技術文献】
【特許文献】
【０００４】
【特許文献１】特開２００１−２７１４６６号公報
【発明の概要】
【発明が解決しようとする課題】
【０００５】
しかしながら、特許文献１の軒樋構造では、その構造上、飾り板が軒樋本体の上方を覆うため、軒樋のメンテナンス時には飾り板を取り外す必要があり、非常に手間のかかるものであった。また、金属製の支持具が上方に立ち上がっているため、支持具と飾り板が大きくなりコストがかかるという問題があった。さらに、支持具が軒樋の吊具に固定される構造のため、この飾り板構造専用の軒樋にしか取り付けられないという問題があった。
【０００６】
本発明は、上記従来の問題点に鑑みてなされたものであり、既存の軒樋に取り付けが可能であって、飾り板の着脱及び軒樋のメンテナンスが容易であり、高い意匠性を有する飾り板取付構造を提供することを課題とする。
【課題を解決するための手段】
【０００７】
本発明は、上記の課題を解決するために、以下のことを特徴としている。
【０００８】
すなわち、本発明の飾り板取付構造は、軒樋の長手方向に飾り板を取り付ける飾り板取付構造であって、前記飾り板取付構造は、前記軒樋に取り付け可能な固定部材と、前記固定部材に固定可能な飾り板を備え、前記固定部材は、前記軒樋の前壁部上端に設けられた前耳部に嵌合可能な嵌合部と、上端面に設けられた天板部と、前記天板部の前端から下方に向けて延設された支持部と、前記嵌合部の後端から上方に向けて突出し、上端部が前記天板部に対して所定の間隔を置いて配設された狭持片とを有し、前記飾り板は、前記固定部材の前記天板部に支持される平面部と、前記平面部の前端から垂下し、前記固定部材の前記支持部の下端に達する飾り面部と、前記飾り面部の下端部で、前記支持部の下端部に係合可能に屈曲する折返し部と、前記平面部の後端から下方に屈曲する屈曲部とを有し、前記固定部の前記嵌合部が前記前耳部に嵌合され、前記飾り板の前記平面部が前記固定部材の前記天板部に支持され、前記折返し部が前記支持部の下端部に係合し、前記屈曲部が前記天板部の後端部と係合するとともに前記挟持片により挟持されて、前記飾り板が前記固定部材を介して前記軒樋に取り付けられていることを特徴とする。
【発明の効果】
【０００９】
本発明によれば、既存の軒樋に取り付けが可能であって、飾り板の着脱及び軒樋のメンテナンスが容易であり、高い意匠性を有する飾り板取付構造を提供することができる。
【図面の簡単な説明】
【００１０】
【図１】本発明の飾り板取付構造の一実施形態を例示した、軒樋前方側から見た分解斜視図である。
【図２】図１に示す飾り板取付構造を軒樋後方側から見た分解斜視図である。
【図３】図１に示す飾り板取付構造の固定部材の一実施形態を示した斜視図であり、（Ａ）は前方側から見た斜視図であり、（Ｂ）は後方側から見た斜視図である。
【図４】図１に示す飾り板取付構造の飾り板の一実施形態を示した斜視図であり、（Ａ）は前方側から見た斜視図であり、（Ｂ）は後方側から見た斜視図である。
【図５】図１に示す飾り板を軒樋に取り付けた状態を示しており、軒樋前方側から見た斜視図である。
【図６】図５に示す飾り板を軒樋に取り付けた状態を軒樋後方側から見た斜視図である。
【発明を実施するための形態】
【００１１】
本発明の飾り板取付構造について図面に基づいて以下に詳述する。図１は、本発明の飾り板取付構造の一実施形態を例示した軒樋前方側から見た分解斜視図であり、図２は、図１を後方側から見た分解斜視図である。また、図３は、固定部材の一実施形態を示し、（Ａ）は前方側から、（Ｂ）は後方側から見た斜視図である。また、図４は、飾り板の一実施形態を示し、（Ａ）は前方側から、（Ｂ）は後方側から見た斜視図である。
【００１２】
本実施形態の飾り板取付構造は、軒樋１の長手方向に飾り板３を取り付ける飾り板取付構造であって、飾り板取付構造は、軒樋１に取り付け可能な固定部材２と、固定部材２に固定可能な飾り板３を備えている。
【００１３】
固定部材２は、軒樋１の前壁部上端に設けられた前耳部１１に嵌合可能な嵌合部２１と、上端面に設けられた天板部２２と、天板部２２の前端から下方に向けて延設された支持部２３とを有している。また、嵌合部２１の後端から上方に向けて突出し、上端部が天板部２２に対して所定の間隔を置いて配設された狭持片２４とを有している。
【００１４】
飾り板３は、固定部材２の天板部２２に支持される平面部３１と、平面部３１の前端から垂下し、固定部材２の支持部２３の下端に達する飾り面部３２を有している。また、飾り面部３２の下端部で、支持部２３の下端部に係合可能に屈曲する折返し部３３と、平面部３１の後端から下方に屈曲する屈曲部３４とを有している。
【００１５】
そして、固定部材２の嵌合部２１が前耳部１１に嵌合され、飾り板３の平面部３１が固定部材２の天板部２２に支持されている。また、折返し部３３が支持部２３の下端部に係合し、屈曲部３４が天板部２２の後端部と係合するとともに挟持片２４により挟持されて、飾り板３が固定部材２を介して軒樋１に取り付けられている。
【００１６】
固定部材２は、軒樋１の前耳部１１に固定するとともに、飾り板３を保持するための部材であり、図３（Ａ）、（Ｂ）に示すように、嵌合部２１と、天板部２２と、支持部２３及び挟持片２４を有している。
【００１７】
嵌合部２１は、軒樋１の前耳部１１に嵌め込み可能な断面形状に形成された嵌込部２１１と、前耳部１１の内側下端部に係合する引掛け部２１２を有している。天板部２２は、嵌合部２１の上部で飾り板３の平面部３１を安定して支持できるように平坦に形成されている。
【００１８】
支持部２３は、飾り板３の固定時に、飾り面部３２を安定して支持するために設けられており、天板部２２の前端から下方に向けて延設され、支持部下端部２３１は、軒樋１の前壁部１２から離れるように前方に向けて湾曲して形成されている。また、図３（Ａ）、（Ｂ）に示す実施形態では、支持部２３の表面から横方向に長く突出する横補強リブ２３２と、横補強リブ２３２の中央部付近から下方に長くに突出する縦補強リブ２３３が、前面視略Ｔ字形状に形成されている。
【００１９】
挟持片２４は、固定部材２に飾り板３を取り付けた状態において、飾り板３の屈曲部３４を軒樋１の内側方向から押さえ付けて固定するために設けられている。挟持片２４は、嵌合部２１の後端部付近から上方に向けて突出し、上端部が天板部２２に対して所定の間隔を置いて配設されている。
【００２０】
具体的には、嵌合部２１と天板部２２の間の後壁面部２２１から軒樋１の内側方向に突出して設けられたアーム部２４１と、アーム部２４１の端部から上方に向けて天板部２２の高さまで延びた挟持部２４２を有している。また、挟持部２４２の上端部は、天板部２２に対して飾り板３の屈曲部３４を挟持可能な間隔を置いて配設されている。
【００２１】
固定部材２の材質は、経年の使用によって腐食や劣化が発生しにくい材質であれば特に限定されるものではなく、例えば、樹脂や硬質ゴム、ステンレス等の金属を用いることができる。また、前耳部１１に安定して固定可能な強度を有するとともに、前耳部１１に固定し易いように多少撓る材質で形成するのが望ましい。
【００２２】
飾り板３は、固定部材２を介して軒樋１に固定され、軒樋１の前耳部１１及び前壁部１２の上端部付近を覆って軒樋１の意匠性を向上させる部材であり、図４（Ａ）、（Ｂ）に示すように、平面部３１と、飾り面部３２と、折返し部３３及び屈曲部３４を有している。
【００２３】
平面部３１は、固定部材２の天板部２２に当接して安定して支持されるように略水平かつ平坦に形成されている。
【００２４】
飾り面部３２は、飾り板３を固定部材２に取り付けた状態で、軒樋１の前壁面１２の上端部を覆うように、平面部３１の前端から下方に向けて固定部材２の支持部下端部２３１に達する長さに延設されている。飾り面部３２の形状や色は、取り付ける軒樋１の形状や色に合わせて適宜決定することができ、種々のデザインや色に形成することができる。図３（Ａ）、（Ｂ）に示す実施形態では、平面部３１の前端から垂下する飾り面部３２の中間部付近に段部３２１を設けて飾り板３の意匠性を向上させている。
【００２５】
飾り板３の材質は、経年の使用によって腐食や劣化が発生しにくい材質であれば特に限定されるものではなく、例えば、樹脂材料やステンレス等の金属材料を用いることができる。
【００２６】
上記の実施形態の固定部材２及び飾り板３の軒樋１への取付けは、以下の方法により行うことができる。
【００２７】
まず、図１、図２、図５、図６に示すように、２個の固定部材２を軒樋１の前耳部１１に取り付ける。２個の固定部材２の各々の間隔は、固定部材２に固定する飾り板３の長手方向の寸法よりも短い間隔とするとともに、安定して固定可能な間隔のバランスを考慮して取り付ける。
【００２８】
前耳部１１に対する固定部材２の取り付けは、前耳部１１の上面部を覆うように嵌合部２１を嵌合させるが、前耳部１１の上面部に嵌込部２１１を当接させて、引掛け部２１２を前耳部１１の内側下端部に引掛ける。これにより、前耳部１１に対して固定部材２が容易に外れないように固定することが可能となる。
【００２９】
次に、前耳部１１に固定した固定部材２に対して飾り板３を固定する。飾り板３の固定は、まず、固定部材２の支持部下端部２３１の下側から、飾り面部３２の下端部に形成された折返し部３３を引掛ける。そして、この状態で、支持部２３の横補強リブ２３２と縦補強リブ２３３に飾り面部３２の裏側を当接させるとともに、平面部３１の裏面を固定部材２の天板部２２に当接させて支持させる。この際、平面部３１の後端部に形成された屈曲部３４が天板部２２の後端部に係合するとともに、挟持片２４の挟持部２４２が屈曲部３４を軒樋１の内側から押さ付けて固定される。
【００３０】
即ち、飾り面部３２は、折返し部３３の係合と、支持部２３の横補強リブ２３２と縦補強リブ２３３との支持により、また、平面部３１は、天板部２２との当接と、屈曲部３４の係合及び挟持部２４２の押さえ付けにより、安定して固定部材２に取り付けるられる。
【００３１】
ここで、本実施形態の飾り板取付構造では、嵌合部２１と天板部２２との間に空間２５が形成されていることが好ましい。また、飾り板３の平面部３１は、固定部材２の天板部２２に固定具４により固定され、空間２５は、平面部３１と天板部２２の固定の際に固定具４の脚４１が天板部２２に到達しない高さに形成されていることが好ましい。
【００３２】
図３（Ａ）、（Ｂ）に示す実施形態の固定部材２では、固定部材２の嵌合部２１と天板部２２の間に断面略矩形形状の空間２５が設けられている。空間２５の高さは、飾り板３の平面部３１と固定部材２の天板部２２を固定具４により固定した際に、固定具４の脚４１の先端が嵌合部２１に達さない高さに設定されている。
【００３３】
固定部材２に対して飾り板３を固定するための固定具４は、飾り板３が容易に外れないようにできるものであれば特に限定されるものではなく、例えば、タッピンねじ等のねじやボルトとナット、釘等を挙げることができる。なお、通常のねじやボルトとナットにより固定する場合には、飾り板３の平面部３１と天板部２２の所定の位置に下穴をあけておくことができる。
【００３４】
また、予め飾り板３の平面部３１の所定の位置に貫通孔を設けておき、天板部２２の対応箇所に、内壁に雌ねじねじ山を形成した貫通孔を形成しておき、ねじを平面部３１の貫通孔に挿通し、天板部２２の貫通孔の雌ねじと螺合させてねじ止めすることもできる。
【００３５】
このように、固定具４により固定部材２に対して飾り板３を固定することで、より安定して飾り板３を固定することができ、飾り板３が外れるのを確実に防止することが可能となる。
【００３６】
また、飾り板３の平面部３１と固定部材２の天板部２２の間に、固定具４の脚４１が収納可能な空間２５を設けることにより、固定具４による固定がスムーズに行えるとともに、脚４１の先端によって軒樋１の前耳部１１を傷つけるのを防止することができる。
【００３７】
上記の方法により軒樋１に取り付けられた固定部材２及び飾り板３の取り外しは、前耳部１１の下端部に係合された嵌合部２１の引掛け部２１２を軒樋１の内側に持ち上げて係合を解除し、その状態で固定部材２を上方に引き上げることにより行うことができる。
【００３８】
本実施形態の飾り板取付構造によれば、既存の軒樋１に取り付けが可能であり、また、軒樋１の上方開口部が飾り板３によって覆われないため、軒樋１のメンテナンスを容易に行うことができる。
【００３９】
以上、実施形態に基づき本発明の飾り板取付構造を説明したが、本発明は上記の実施形態に何ら限定されるものではなく、その要旨を逸脱しない範囲内において各種の変更が可能である。
【００４０】
例えば、上記実施形態では、軒樋１の前耳部１１への固定部材２の取付けに際し、２個の固定部材２を所定の間隔で取り付けたが、例えば、横幅方向に長尺の固定部材２を用いて、１個の固定部材２に対して１つの飾り板３を取り付けることもできる。これにより、取り付け工数を減らすことができ、より施工作業を容易に行うことができる。
【符号の説明】
【００４１】
１  軒樋
１１  前耳部
２  固定部材
２１  嵌合部
２２  天板部
２３  支持部
２４  挟持片
２５  空間
３  飾り板
３１  平面部
３２  飾り面部
３３  折返し部
３４  屈曲部
４  固定具
４１  脚
【図１】
2018178571.tif 000003
【図２】
2018178571.tif 000004
【図３】
2018178571.tif 000005
【図４】
2018178571.tif 000006
【図５】
2018178571.tif 000007
【図６】
2018178571.tif 000008